(57)【要約】【課題】容器の注出口部に低い閉じトルクで螺着でき、使用時に低い開けトルクで螺脱でき、しかも容器の注出口部への封止性が良好で、また、剛性が低い材質の注出口部にも使用できる低開閉トルクで高密封なキャップを提供する。【解決手段】容器２０のプラスチック製の注出口部２００　に螺着するキャップ１００　であって、キャップの天板１１０　下面に、容器の注出口部の先端部内周面に外周面を密接するインナー封止リング１０１　を設け、このインナー封止リングの外周上端に隣接して、下端先端を容器の注出口部の上面に密接するコンタクト封止リング１０２　を設け、かつキャップの周壁内周面の上端部に、容器の注出口部の上端部外周と隙間を設けてアウター当接リング１０３　を設ける。【選択図】図１
2004051126.tif 000002
【特許請求の範囲】
【請求項１】
容器のプラスチック製の注出口部に螺着するキャップであって、前記キャップの天板下面に、前記容器の注出口部の先端部内周面に外周面を密接するインナー封止リングを設け、該インナー封止リングの外周上端に隣接して、下端先端を前記容器の注出口部の上面に密接するコンタクト封止リングを設け、かつ前記キャップの周壁内周面の上端部に、前記容器の注出口部の上端部外周と隙間を設けてアウター当接リングを設けたことを特徴とする低開閉トルクで高密封なキャップ。
【請求項２】
前記インナー封止リングが、外周面に前記容器の注出口部の上端部内周面と密接する垂直線に対する角度が０〜１０°の上方開きの斜面を有することを特徴とする請求項１記載の低開閉トルクで高密封なキャップ。
【請求項３】
前記インナー封止リングの外周面の前記容器の注出口部の上端部内周面と密接する高さが、前記キャップを前記容器の注出口部に螺着ときの螺合回転角度で２０°〜６０°相当にすることを特徴とする請求項１又は２記載の低開閉トルクで高密封なキャップ。
【請求項４】
前記コンタクト封止リングが、高さが０．３〜１．０ｍｍの断面倒立三角形状で、下端の先端角度が３０〜９０°であること特徴とする請求項１乃至３記載の低開閉トルクで高密封なキャップ。
【請求項５】
前記アウター当接リングと前記容器の注出口部の上端部外周との隙間が、前記キャップの雌ネジの先端と前記容器の注出口部の雄ネジの谷との間隔の±０．３ｍｍであることを特徴とする請求項１乃至４記載の低開閉トルクで高密封なキャップ。
【発明の詳細な説明】
【０００１】
【発明の属する技術分野】
本発明は、液体紙容器の注出位置に突設する剛性が比較的に低い材質のスパウトに螺着する低開閉トルクで高密封なキャップに関するものである。
【０００２】
【従来の技術】
従来、食品や非食品などの液体内容物に使用する容器には、使用時の使い易さを考慮して、例えば、図５に示すように、胴部（２１）が四角柱状で、切り妻屋根形の頂部傾斜板（２２）の注出位置に、キャップ（１００）とスパウトとからなる口栓（１０）を突設した液体用紙容器（２０）が、広い用途範囲にわたって使用されていた。この口栓（１０）のキャップ（１００）としては、特に密封性が要求される場合には、例えば、図６に示すように、キャップ（１００）の天板（１１０）下面に、外周面をスパウト（２００）の注出筒（２２０）の先端部内周面に密接するインナー封止リング（１０１）と、このインナー封止リングの外側に、スパウトの注出筒の先端上面に先端を密接するコンタクト封止リング（１０２）とを垂設し、また、内周面をスパウトの注出筒の先端部外周面に密接するアウター封止リング（１０４）をキャップの周壁（１２０）の上端部内周面に内側へ突設して、スパウトの注出筒の上端部の三箇所を封止するものが使用されていた。
【０００３】
【発明が解決しようとする課題】
しかしながら、上述の従来の口栓のキャップは、スパウト（注出口部）の注出筒の上端部の三箇所を封止することから、キャップをスパウトに螺着するときに、強い閉めトルクを必要とし、従って、キャップをスパウトから螺脱するときに、強い開けトルクを必要とし使用時に使用しにくいことがあった。なお、このキャップの封止過程は、まず、容器の注出口部の上端部内周面にインナー封止リングの外周面が密接し、次に、容器の注出口部の上面にコンタクト封止リングの下端先端を密接し、次に、キャップの螺着にともなう周壁の変形により容器の注出口部の先端部外周面にアウター封止リングの内周面を密接するものであった。また、容器の注出口部の材質の剛性が低い場合（曲げ弾性率が１，０００ＭＰａ以下）には、注出口部の閉めトルクによる倒れに起因する密封性の問題を生じることがあった。
【０００４】
本発明は、上述の従来のキャップの問題を解決したものであり、容器の注出口部に低い閉じトルクで螺着でき、使用時に低い開けトルクで螺脱でき、しかも容器の注出口部への封止性が良好で、また、剛性が低い材質の注出口部にも使用できる低開閉トルクで高密封なキャップを提供するものである。
【０００５】
【課題を解決するための手段】
すなわち、本発明の第１の発明は、容器のプラスチック製の注出口部に螺着するキャップであって、前記キャップの天板下面に、前記容器の注出口部の先端部内周面に外周面を密接するインナー封止リングを設け、このインナー封止リングの外周上端に隣接して、下端先端を前記容器の注出口部の上面に密接するコンタクト封止リングを設け、かつ前記キャップの周壁内周面の上端部に、前記容器の注出口部の上端部外周と隙間を設けてアウター当接リングを設けたことを特徴とする低開閉トルクで高密封なキャップである。
【０００６】
次に、本発明の第２の発明は、前記インナー封止リングが、外周面に前記容器の注出口部の上端部内周面と密接する垂直線に対する角度が０〜１０°の上方開きの斜面を有することを特徴とする第１の発明に記載の低開閉トルクで高密封なキャップである。
【０００７】
次に、本発明の第３の発明は、前記インナー封止リングの外周面の前記容器の注出口部の上端部内周面と密接する高さが、前記キャップを前記容器の注出口部に螺着ときの螺合回転角度で２０°〜６０°相当にすることを特徴とする第１又は第２の発明に記載の低開閉トルクで高密封なキャップである。
【０００８】
次に、本発明の第４の発明は、前記コンタクト封止リングが、高さが０．３〜１．０ｍｍの断面倒立三角形状で、下端の先端角度が３０〜９０°であること特徴とする第１乃至第２の発明に記載の低開閉トルクで高密封なキャップである。
【０００９】
そして、本発明の第５の発明は、前記アウター当接リングと前記容器の注出口部の上端部外周との隙間が、前記キャップの雌ネジの先端と前記容器の注出口部の雄ネジの谷との間隔の±０．３ｍｍであることを特徴とする第１乃至第３の発明に記載の低開閉トルクで高密封なキャップである。
【００１０】
【発明の実施の形態】
本発明の低開閉トルクで高密封なキャップは、容器のプラスチック製の注出口部に螺着するキャップであり、液体用紙容器の口栓のキャップや、剛性の低い材質（曲げ弾性率が１，０００ＭＰａ以下）、例えばスクイズボトル（胴部をスクイズして内容物を押し出すマヨネーズボトルなど）のキャップなど使用するものであり、キャップの天板下面に、容器の注出口部の先端部内周面に外周面を密接するインナー封止リングを設け、このインナー封止リングの外周上端に隣接して、下端先端を容器の注出口部の上面に密接するコンタクト封止リングを設け、そして、キャップの周壁内周面の上端部に、容器の注出口部の上端部外周と所定の隙間をもつアウター当接リングを設けるものである。このキャップは、ポリプロピレンなどの適度の剛性をもつ熱可塑性樹脂を用いて、射出成形法により作製するものである。
【００１１】
次に、本発明の低開閉トルクで高密封なキャップの実施の形態について、図を用いて詳細に説明する。
図１は、本発明の一実施形態のキャップを、液体用紙容器の注出位置に突設するスパウトに螺着したときの断面図である。図２（ａ）は、そのキャップのインナー封止リングの容器の注出口部内周面と密着する密着部分の形状を示す断面図であり、図２（ｂ）は、コンタクト封止リングの形状を示す断面図である。図３は、キャップのアウター当接リングと容器の注出口部の上端部外周面との間隔を示す説明図である。図４は、キャップを容器の注出口部に螺着したときに、強い閉めトルクにより容器の注出口部が外側へ倒れてキャップのアウター当接リングに当接したときの状態を示す説明図である。そして、図５は、一例の口栓付液体紙容器の斜視図である。
【００１２】
本発明の一実施形態のキャップ（１００）は、図１に示すように、液体用紙容器（２０）の頂部傾斜板（２２）の注出位置に突設するスパウト（注出口部）（２００）に螺着するキャップ（１００）であり、その構造は、天板（１１０）下面に、スパウトの注出筒（２２０）の先端部内周面に外周面を密接するインナー封止リング（１０１）を設け、このインナー封止リングの外周上端に隣接して、下端先端をスパウトの注出筒の上面に密接するコンタクト封止リング（１０２）を設け、そして、キャップの周壁（１２０）内周面の上端部に、スパウトの注出筒の上端部外周と所定の隙間をもつアウター当接リング（１０３）を設けるものである。また、アウター当接リングの下方のキャップの周壁内周面にスパウトの雄ネジ（２２１）と螺合する雌ネジ（１２１）を設けるものである。
【００１３】
そして、上述のインナー封止リング（１０１）は、図２（ａ）に示すように、外周面に容器の注出口部の上端部内周面と密接する垂直線に対する角度（α°）が０〜１０°の上方開きの斜面を有するものである。なお、斜面の垂直線に対する角度を１０°以上にすると、容器の注出口部の上端部内周面と密接度が極度に大きくなり、閉めトルクが異常に高いなる。
【００１４】
また、図２（ａ）に示すように、インナー封止リング（１０１）の外周面の容器の注出口部の上端部内周面と密接する高さ（Ｈ）は、キャップを容器の注出口部に螺着ときの螺合回転角度で２０°〜６０°相当にする高さにするものである。なお、螺合回転角度で２０°以下の高さでは、容器の注出口部の上端部内周面と密接度が不足し、螺合回転角度で６０°以上の高さでは、容器の注出口部の上端部内周面との密接度が必要以上となり、閉めトルクが高くなる。
【００１５】
また、図２（ｂ）に示すように、コンタクト封止リング（１０１）は、高さ（ｈ）が０．３〜１．０ｍｍの断面倒立三角形状で、下端の先端角度（β°）を３０〜９０°の鋭角にするものである。なお、高さが０．３ｍｍ以下では、封止効果が悪くなり、１．０ｍｍ以上の高さは封止効果及び構造上からみて必要ない。また、先端角度が３０°以下では、腰がなく密接度が低下し、９０°以上では、閉めトルクの状態に追従しての変化がしにくくなり、封止性が損なわれる。
【００１６】
また、図３び示すアウター当接リング（１０３）とスパウト（２００）の注出筒（２２０）の上端部外周との隙間（Ｄ）は、キャップ（１００）の雌ネジ（１２１）の先端とスパウトの注出筒の雄ネジ（２２１）の谷との間隔（ｄ）の±０．３ｍｍに設けるものである。なお、キャップの雌ネジの先端とスパウトの雄ネジの谷との間隔（ｄ）の−０．３ｍｍ以下では、アウター当接リングとスパウトの注出筒の上端部外周とに隙間を設ける効果がなく、＋０．３ｍｍ以上にすると、注出筒の上端部が外側へ倒れたりときに、インナー封止リングやコンタクト封止リングの封止効果が阻害されたり、雄ネジと雌ネジとの密接度が大きくなり、使用時の開けトルクが高くなったり、ネジ山の接触面に摩擦によりむしれを生じたりする。
【００１７】
上述した本実施形態のキャップは、図１に示すように、天板下面に、インナー封止リングとその外側に隣接してコンタクト封止リングを設け、周壁内周面の上端部に、スパウトの注出筒の上端部外周と隙間を設けてアウター当接リングが設けられており、比較的に剛性が低い材質のスパウトにキャップを螺着するときに、閉めトルクによりスパウトの注出筒の上端部が外側へ倒れても、キャップの周壁内周面の上端部に設けられているアウター当接リングに当接して停止し、それ以上に倒れることがない。このため、キャップがスパウトの注出筒に必要以上に螺合されることがなく、従って、使用時の開けトルクも適正なものとなる。また、少なくともコンタクト封止リングがスパウトの注出筒の上端部天面との密接を維持しているので、キャップのスパウトに対する封止効果も良好となる。また、キャップの雌ネジとスパウトの雄ネジとの接触面での過度な摩擦も防げる。
【００１８】
【発明の効果】
本発明のキャップは、天板下面に容器の注出口部と密接する適正な形状のインナー封止リングとコンタクト封止リングとが設けられており、また、容器の注出口部の上端部外周と適正な間隔をもつアウター当接リングが設けられており、これらの相乗効果により、低開閉トルクで高密封なキャップである。また、このキャップは、容器の注出口部の材質が比較的に剛性が低い場合にも使用することができる。
【図面の簡単な説明】
【図１】本発明の一実施形態のキャップを、液体用紙容器の注出位置に突設するスパウトに螺着したときの断面図である。
【図２】（ａ）は、図１に示す本発明のキャップのインナー封止リングの容器の注出口部内周面と密着する密着部分の形状を示す断面図であり、（ｂ）は、コンタクト封止リングの形状を示す断面図である。
【図３】図１に示す本発明のキャップのアウター当接リングと容器の注出口部の上端部外周面との間隔を示す説明図である。
【図４】図１に示す本発明のキャップを容器の注出口部に螺着したときに、強い閉めトルクにより容器の注出口部が外側へ倒れてキャップのアウター当接リングに当接したときの状態を示す説明図である。
【図５】一例の口栓付液体紙容器の斜視図である。
【図６】従来の一例のキャップを、液体用紙容器の注出位置に突設するスパウトに螺着したときの断面図である。
【符号の説明】
１０……口栓
２０……液体用紙容器
２１……胴部
２２……頂部傾斜板
１００……キャップ
１０１……インナー封止リング
１０２……コンタクト封止リング
１０３……アウター当接リング
１０４……アウター封止リング
１１０……天板
１２０……周壁
１２１……雌ネジ
２００……スパウト又は注出口部
２１０……台座リング
２２０……注出筒
２２１……雄ネジ
２３０……閉鎖板
２３１……環状切込み
２３２……環状薄肉脆弱線
２３３……支柱
２３４……プルリング
２４０……貼着リング
α°，β°……角度
Ｈ，ｈ……高さ
【図１】
2004051126.tif 000003
【図２】
2004051126.tif 000004
【図３】
2004051126.tif 000005
【図４】
2004051126.tif 000006
【図５】
2004051126.tif 000007
【図６】
2004051126.tif 000008